(57)【要約】      （修正有）【課題】導通検査治具の導通ピンのピン径を簡単かつ短時間で正確に判別することができるピン径判別治具を提供する。【解決手段】ピン径判別治具１は、導通検査治具の導通ピンのピン径を判別する径の異なる一対のコイルバネ３，４と、この一対のコイルバネ３，４を両側に一体に結合した把持部２とを備え、導通ピンの外径をφＰ、前記ピン径判別治具の把持部の一方の側の大径のコイルバネ３の内径をφＡ、前記把持部の他方の側の小径のコイルバネ４の内径をφＢとした場合に、前記導通ピンの外径φＰと前記大径のコイルバネの内径φＡと前記小径のコイルバネの内径φＢの関係がφＡ≧φＰ＞φＢの場合は、前記導通ピンが適正品であると判別し、φＡ＞φＰ＜φＢ及びφＡ＜φＰ＞φＢの場合は、前記導通ピンが不適正品であると判別するピン径判別治具。【選択図】図１
2019185848.tif 000002
【特許請求の範囲】
【請求項１】
導通検査治具の導通ピンのピン径を判別するコイルバネと、
前記コイルバネを一体に結合した把持部と、
を備えたことを特徴とするピン径判別治具。
【請求項２】
請求項１記載のピン径判別治具であって、
前記コイルバネの先端部に螺旋状に外側に拡径するテーパ部を設けたことを特徴とするピン径判別治具。
【請求項３】
請求項１記載のピン径判別治具であって、
前記把持部の両側にそれぞれ径の異なるコイルバネを一体に結合したことを特徴とするピン径判別治具。
【請求項４】
請求項３記載のピン径判別治具であって、
前記導通ピンの外径をφＰ、前記把持部の一方の側の大径のコイルバネの内径をφＡ、前記把持部の他方の側の小径のコイルバネの内径をφＢとした場合に、φＡ≧φＰ＞φＢの関係となることを特徴とするピン径判別治具。
【請求項５】
請求項４記載のピン径判別治具であって、
前記把持部の両側の外径を異なるコイルバネの径に合わせてそれぞれ異ならせて形成したことを特徴とするピン径判別治具。
【請求項６】
請求項５記載のピン径判別治具であって、
前記把持部の両側を分割形成し、かつ、着脱自在にし、
前記分割形成した一方の分割体に異なる径の前記大径のコイルバネを一体に結合し、
前記分割形成した他方の分割体に異なる径の前記小径のコイルバネを一体に結合したことを特徴とするピン径判別治具。
【請求項７】
導通検査治具の導通ピンのピン径を判別するコイルバネと、前記コイルバネを一体に結合した把持部と、を備え、前記把持部の両側にそれぞれ径の異なるコイルバネを一体に結合したピン径判別治具を用いて導通検査治具の導通ピンのピン径を判別するピン径判別方法であって、
前記導通ピンの外径をφＰ、前記ピン径判別治具の把持部の一方の側の大径のコイルバネの内径をφＡ、前記把持部の他方の側の小径のコイルバネの内径をφＢとした場合に、
前記導通ピンの外径φＰと前記大径のコイルバネの内径φＡと前記小径のコイルバネの内径φＢの関係がφＡ≧φＰ＞φＢの場合は、前記導通ピンが適正品であると判別し、
φＡ＞φＰ＜φＢ及びφＡ＜φＰ＞φＢの場合は、前記導通ピンが不適正品であると判別することを特徴とするピン径判別方法。
【発明の詳細な説明】
【技術分野】
【０００１】
本発明は、導通検査治具に使用される導通ピンの先端径を判別するピン径判別治具及びピン径判別方法に関する。
【背景技術】
【０００２】
車両内に配索されて各種電子機器等の接続に用いられるワイヤハーネスは、コネクタハウジングに収容される端子が端末に設けられた複数の電線を有している。そして、このようなワイヤハーネスに対して、電線の断線や端子の接続不良等を検出するための導通検査が行われる。
【０００３】
導通検査は、複数の電線の端末に接続された端子の数の複数の導通ピンを有した導通検査治具を用い、この導通検査治具の各導通ピンを雌コネクタハウジングの複数の端子収容室内に収容されている各雌端子と接触させることで行っている。
【先行技術文献】
【特許文献】
【０００４】
【特許文献１】特開２００１−１３１９５号公報
【特許文献２】特開２０１６−５７２９６号公報
【発明の概要】
【発明が解決しようとする課題】
【０００５】
前記導通検査治具の複数の導通ピンによる導通検査の際に、雌端子の大きさに合った先端径の導通ピンを使用しなければ端子変形の原因となるため、適正な先端径の導通ピンが使用されている導通検査治具であるかどうか、即ち、導通検査治具が適正品か否かのチェックをする必要があるが、導通ピンの先端径を判別する具体的な手段や手法はなく、例えば、ノギス等の測定機器や筒状の部品を代用して対応していた。
【０００６】
しかしながら、未完成状態の導通検査治具に組み付けた導通ピンをノギス等の測定機器で１本毎測定しようとしても、複数の導通ピン間のピッチが小さくて測定が困難であり、また、筒状の部品で測定するために導通ピンの先端に押し込もうとした場合、誤って導通ピンを変形させたり、破損させる恐れがあり、適正品であるか否かの判別に時間と熟練を要した。
【０００７】
そこで、本発明は、前記した課題を解決すべくなされたものであり、導通検査治具の導通ピンのピン径を簡単かつ短時間で正確に判別することができるピン径判別治具及びピン径判別方法を提供することを目的とする。詳述すると、導通検査治具に使用する導通ピンが誤って、異なる先端径の導通ピンが取り付けられた際（製造時、受入時、メンテナンス時等）に、ピン径の違いを容易に確認させることで、導通検査治具のピン径違い品を流出させないことを目的とする。
【課題を解決するための手段】
【０００８】
本発明は、導通検査治具の導通ピンのピン径を判別するピン径判別治具であって、導通検査治具の導通ピンのピン径を判別するコイルバネと、前記コイルバネを一体に結合した把持部と、を備えたことを特徴とする。
【０００９】
また、本発明は、ピン径判別治具を用いて導通検査治具の導通ピンのピン径を判別するピン径判別方法であって、前記導通ピンの外径をφＰ、前記ピン径判別治具の把持部の一方の側の大径のコイルバネの内径をφＡ、前記把持部の他方の側の小径のコイルバネの内径をφＢとした場合に、前記導通ピンの外径φＰと前記大径のコイルバネの内径φＡと前記小径のコイルバネの内径φＢの関係がφＡ≧φＰ＞φＢの場合は、前記導通ピンが適正品であると判別し、φＡ＞φＰ＜φＢ及びφＡ＜φＰ＞φＢの場合は、前記導通ピンが不適正品であると判別することを特徴とする。
【発明の効果】
【００１０】
本発明によれば、導通検査治具の導通ピンのピン径を簡単かつ短時間で正確に判別することができる。
【図面の簡単な説明】
【００１１】
【図１】本発明の第１実施形態のピン径判別治具の側面図である。
【図２】上記ピン径判別治具の一方の側の大径のコイルバネに導通ピンを挿入した状態を一部断面で示す要部拡大図である。
【図３】上記ピン径判別治具の他方の側の小径のコイルバネに導通ピンを挿入した状態を一部断面で示す要部拡大図である。
【図４】上記導通ピンの判定結果を比較した説明図である。
【図５】（ａ）は本発明の第２実施形態のピン径判別治具のコイルバネを他のピン径に対応したものに取り換えるための組み合わせを示す側面図、（ｂ）は同組み合わせた一例を示すピン径判別治具の側面図である。
【発明を実施するための形態】
【００１２】
以下、本発明の実施形態を図面に基づいて説明する。
【００１３】
図１は本発明の第１実施形態のピン径判別治具の側面図、図２は同ピン径判別治具の一方の側の大径のコイルバネに導通ピンを挿入した状態を一部断面で示す要部拡大図、図３は同ピン径判別治具の他方の側の小径のコイルバネに導通ピンを挿入した状態を一部断面で示す要部拡大図である。
【００１４】
図１に示すように、ピン径判別治具１は、導通検査治具（図示省略）に設計段階で選定された導通ピン１０が正規の状態で組み付けられているかどうかを容易に判別できる治具であり、導通ピン１０の先端径（ピン径）を判別する長尺で金属製の一対のねじりコイルバネ（コイルバネ）３，４と、この一対のねじりコイルバネ（コイルバネ）３，４を一体に結合した合成樹脂製で四角棒状の把持部２と、を備えている。
【００１５】
把持部２は、左右両側にそれぞれ径の異なるねじりコイルバネ３，４を一体に結合してあり、かつ把持部２の左右両側は、その外径を異なるねじりコイルバネ３，４の径に合わせてそれぞれ異ならせて形成してある。即ち、把持部２の一方の側（図１中左のＡ側）は大径部２ａになっており、把持部２の他方の側（図１中右のＢ側）は小径部２ｂになっている。このように、２つの導通ピン１０の先端径の判別部である各ねじりコイルバネ３，４を容易に判別でき、かつ取り間違い防止のため、把持部２と各ねじりコイルバネ３，４は一体構造で、判別部である各ねじりコイルバネ３，４の大小に応じてその取付外形に段差を設けている。
【００１６】
また、一方の側（図１中左のＡ側）のねじりコイルバネ３は他方の側（図１中右のＢ側）のねじりコイルバネ４よりも大径に形成されている。さらに、各ねじりコイルバネ３，４の先端部には導通ピン１０を挿入し易くするために螺旋状に外側に拡径するテーパ部３ａ，４ａを形成してある。尚、各ねじりコイルバネ３，４は、金属製の棒を密着巻きしてねじりコイル状に形成してあり、ピッチ間が狭い複数の導通ピン１０を判別する場合でも隣接する各導通ピン１０にダメージを与えないようにフレキシブルに弾性変形するようになっている。
【００１７】
そして、サイズ違い（大）の導通ピン１０を判別する方法として、選定された導通ピン１０の先端部１０ａが入り、且つ１サイズ先端径の大きな導通ピン１０が入らないようにねじりコイルバネ３，４の内径を設定する。また、サイズ違い（小）の導通ピン１０を判別する方法として、選定された導通ピン１０の先端部１０ａが入らず、且つ１サイズ先端径の小さな導通ピン１０が入るようにねじりコイルバネ３，４の内径を設定する。即ち、選定（判別）する導通ピン１０の外径をφＰ、把持部２の一方の側（図１中左のＡ側）の大径のコイルバネ３の内径をφＡ、把持部２の他方の側（図１中右のＢ側）の小径のコイルバネ４の内径をφＢとした場合に、φＡ≧φＰ＞φＢの関係となっている。
【００１８】
詳述すると、前述した構成のピン径判別治具１を用いて導通検査治具の導通ピン１０の先端径（ピン径）を判別する際に、選定する導通ピン１０の外径をφＰ、把持部２のＡ側の大径のばね３の内径をφＡ、把持部２のＢ側の小径のばね４の内径をφＢとした場合に、それらの関係がφＡ≧φＰ＞φＢの場合は、選定された導通ピン１０が適正品（ＯＫ）であると判別し、φＡ＞φＰ＜φＢ及びφＡ＜φＰ＞φＢの場合は、選定された導通ピン１０が不適正品（ＮＧ）であると判別する。
【００１９】
即ち、判別(確認)手順としては、図４に示すように、導通ピン１０がＡ側のコイルバネ３に挿入され（Ｇｏ）、Ｂ側のコイルバネ４にも挿入された（Ｇｏ）場合、及び、導通ピン１０がＡ側のコイルバネ３に挿入されず（ＮｏＧｏ）、Ｂ側のコイルバネ４にも挿入されない（ＮｏＧｏ）場合は、正規（適正品）の先端径の導通ピン１０が組み付けられていないことが確認される。
【００２０】
また、導通ピン１０がＡ側のコイルバネ３に挿入され（Ｇｏ）、Ｂ側のコイルバネ４に挿入されない（ＮｏＧｏ）場合は、正規（適正品）の先端径の導通ピン１０が組み付けられていることが確認される。これらにより、導通ピン１０が適正品（ＯＫ）か不適正品（ＮＧ）かが簡単に判る。
【００２１】
このように、ピン径判別治具１を用いて、選定する導通ピン１０を、各テーパ部３ａ，４ａを介してコイルバネ３，４内に挿入させることができるか、挿入させることができないかを確認するだけの簡単な手作業により、導通ピン１０の先端径（ピン径）を短時間で正確に判別することができる。
【００２２】
導通検査治具に組み付けられた状態の導通ピン１０の先端径を確認することで、完成品の検査時、製造業者からの治具受入時、メンテナンス等によるピン交換時に、ピン径が異なる導通ピン１０を備えた導通検査治具の流出を確実に防止することができる。さらに、検査、受入・メンテナンス時の確認工数の削減を図ることができ、その分、低コスト化を図ることができる。
【００２３】
また、選定された導通ピン１０のピン径を判別する際に、フレキシブルに弾性変形する長尺のねじりコイルバネ３，４を用いたことにより、導通ピン１０の変形や破損等の２次的な不具合を回避することができる。
【００２４】
図５（ａ）は本発明の第２実施形態のピン径判別治具のコイルバネを他のピン径に対応したものに取り換えるための組み合わせを示す側面図、図５（ｂ）は同組み合わせた一例を示すピン径判別治具の側面図である。
【００２５】
この第２実施形態のピン径判別治具１は、図５（ｂ）に示すように、把持部２の両側を径の異なる一方（図５中左のＡ側）の大径分割体（一方の分割体）２Ａと他方（図５中右のＢ側）の小径分割体（他方の分割体）２Ｂに２分割に形成し、かつ、大径分割体２Ａの他端側に形成されたネジ穴２ｃと小径分割体２Ｂの一端側に形成されたネジ部２ｄの螺合により着脱自在になっている。尚、ネジの代わりにマグネットにより着脱自在にしても良い。
【００２６】
また、図５（ａ）に示すように、大径分割体２Ａの一端側には、大径のうちでも径の異なる大径のコイルバネ３，３′，３″を一体に結合したものが３組み用意されている。さらに、図５（ｂ）に示すように、小径分割体２Ｂの他端側には、小径のうちでも径の異なる小径のコイルバネ４，４′，４″を一体に結合したものが３組み用意されている。これらの各分割体Ａ２，２Ｂを、選定する導通ピン１０の他のピン径、即ち、ピン径の大小異なる導通ピン１０に合わせて対応したものに取り換えて使用することにより、先端径のそれぞれ異なる複数種類の導通ピン１０の判別に簡単かつ確実に対応させて判別することができる。
【００２７】
尚、前記各実施形態によれば、導通ピンのピン径を判別するコイルバネを金属製の棒を密着巻きしてねじりコイル状に形成したものを用いたが、合成樹脂製のねじりコイルバネを用いても良い。
【符号の説明】
【００２８】
１  ピン径判別治具
２  把持部
２Ａ  大径分割体（一方の分割体）
２Ｂ  小径分割体（他方の分割体）
３，３′，３″  大径のねじりコイルバネ（コイルバネ）
３ａ  テーパ部
４，４′，４″  小径のねじりコイルバネ（コイルバネ）
４ａ  テーパ部
１０  導通検査治具の導通ピン
【図１】
2019185848.tif 000003
【図２】
2019185848.tif 000004
【図３】
2019185848.tif 000005
【図４】
2019185848.tif 000006
【図５】
2019185848.tif 000007